(57)【特許請求の範囲】
【請求項１】
装飾カーテンレールを支持可能としたブラケット本体の基端部に固定金具を取着し、取付面に取着可能とした取付金具及び前記固定金具には前記ブラケット本体を前記取付金具に仮止めする仮止め装置を設け、前記固定金具及び取付金具には仮止めした前記固定金具を取付金具に向かって押圧することにより、該固定金具を取付金具に固定可能とした固定装置を設けた装飾カーテンレールの取付ブラケットであって、
前記仮止め装置は、前記取付金具の上端部に設けた仮止め部と、前記固定金具の上端部に設けた仮止め孔とから構成し、前記仮止め孔に前記仮止め部を挿通することにより、前記取付金具で固定金具を吊下支持可能とし、
前記固定装置は、前記固定金具に掛止め部を設け、前記取付金具には固定ブロックを移動可能に支持し、前記固定ブロックには前記掛止め部に係合可能とした係止爪を設け、付勢手段の付勢力により前記係止爪を前記掛止め部に係合する方向に付勢し、前記固定金具を取付金具に向かって押圧して、前記固定ブロックを前記付勢手段の付勢力に抗して移動させることにより、前記係止爪を前記掛止め部に係合可能とし、
前記付勢手段は、前記取付金具を支点として固定ブロックを上方へ付勢するコイルスプリングで構成し、前記固定ブロックを前記コイルスプリングの付勢力に抗して下方へ引下げることにより、前記係止爪と掛止め部との係合を解除可能とし、
前記取付金具における前記仮止め部の下方には係止片が形成され、前記固定金具における仮止め孔の下方には係止片が形成され、前記仮止め孔に前記仮止め部を挿通し、前記掛止め部が係止爪に当接する状態で、前記固定金具に形成された係止片は前記取付金具に形成された係止片の下側に係合することを特徴とする装飾カーテンレールの取付ブラケット。
【発明の詳細な説明】
【０００１】
【発明の属する技術分野】
この発明は、カーテンレールを支持する取付ブラケットに関するものである。
【０００２】
【従来の技術】
従来、カーテンレールの一種類として木製の装飾カーテンレールが実用化され、その装飾カーテンレールを壁面等の取付面に固定するための取付ブラケットとして、木製あるいは木粉を混入した合成樹脂製の取付ブラケットが実用化されている。
【０００３】
このような取付ブラケットを使用して装飾カーテンレールを取付面に固定するには、取付面の所定位置にあらかじめ取付プレートをネジ等で固定する。また、装飾カーテンレールにカーテン生地を吊下支持するためのリングランナー等を装着するとともに、装飾カーテンレールの両端部に取付ブラケットを取着する。
【０００４】
そして、装飾カーテンレールを取付プレートの取付位置まで持ち上げながら、取付ブラケットを取付けプレートにネジ等で固定していた。
【０００５】
【発明が解決しようとする課題】
上記のような取付ブラケットでは、装飾カーテンレールを取付面に固定するには、その装飾カーテンレールを取付け位置まで持ち上げながらネジ止めする作業を行う必要がある。
【０００６】
従って、装飾カーテンレールの取付作業が煩雑であるという問題点がある。また、装飾カーテンレールを取付面から取り外すには、装飾カーテンレールを支えながら、取付プレートに螺合されたネジを取り外す必要があるため、その取り外し作業も煩雑である。
【０００７】
この発明の目的は、装飾カーテンレールを取付面に容易に着脱し得る取付ブラケットを提供することにある。
【０００８】
【課題を解決するための手段】
請求項１では、装飾カーテンレールを支持可能としたブラケット本体の基端部に固定金具を取着し、取付面に取着可能とした取付金具及び前記固定金具には前記ブラケット本体を前記取付金具に仮止めする仮止め装置を設け、前記固定金具及び取付金具には仮止めした前記固定金具を取付金具に向かって押圧することにより、該固定金具を取付金具に固定可能とした固定装置を設けた装飾カーテンレールの取付ブラケットであって、前記仮止め装置は、前記取付金具の上端部に設けた仮止め部と、前記固定金具の上端部に設けた仮止め孔とから構成し、前記仮止め孔に前記仮止め部を挿通することにより、前記取付金具で固定金具を吊下支持可能とし、前記固定装置は、前記固定金具に掛止め部を設け、前記取付金具には固定ブロックを移動可能に支持し、前記固定ブロックには前記掛止め部に係合可能とした係止爪を設け、付勢手段の付勢力により前記係止爪を前記掛止め部に係合する方向に付勢し、前記固定金具を取付金具に向かって押圧して、前記固定ブロックを前記付勢手段の付勢力に抗して移動させることにより、前記係止爪を前記掛止め部に係合可能とし、前記付勢手段は、前記取付金具を支点として固定ブロックを上方へ付勢するコイルスプリングで構成し、前記固定ブロックを前記コイルスプリングの付勢力に抗して下方へ引下げることにより、前記係止爪と掛止め部との係合を解除可能とし、前記取付金具における前記仮止め部の下方には係止片が形成され、前記固定金具における前記仮止め部の下方には係止片が形成され、前記固定金具における仮止め孔の下方には係止片が形成され、前記仮止め孔に前記仮止め部を挿通し、前記掛止め部が係止爪に当接する状態で、前記固定金具に形成された係止片は前記取付金具に形成された係止片の下側に係合する。
【００１５】
【発明の実施の形態】
（第一の実施の形態）
図１〜図５は、この発明を具体化した取付ブラケットの第一の実施の形態を示す。
【００１６】
図１に示すように、木製のブラケット本体１の先端部には、支持孔２が形成され、その支持孔２に装飾カーテンレール３を支持可能となっている。
前記ブラケット本体の基端面には溝型の凹部４が上下方向に形成され、その凹部４内には固定金具５がネジ６で固定されている。
【００１７】
前記固定金具５の上端部は、ブラケット本体１の基端側に直角に折り曲げられるとともにその折り曲げ部に仮止め孔７が形成されている。
前記固定金具５の下端部は、直角に折り曲げられるとともにその折り曲げ部８に掛止め孔８ａが形成されている。
【００１８】
前記ブラケット本体１を壁面等の取付面９に支持するための取付金具１０は、ネジ１１で取付面９に固定される。前記取付金具１０の上端部は、前記ブラケット本体１に向かって水平方向に折り曲げられ、その折り曲げ部の先端部は上方へ屈曲されて、前記仮止め孔７に係合可能とした仮止め部１２が形成されている。
【００１９】
前記取付金具１０の下端部には、固定ブロック１３が上下動可能に支持されている。前記取付金具１０の下端部近傍には前記ブラケット本体１側に屈曲された支持片１４が形成され、その支持片１４と前記固定ブロック１３の下端部との間にはコイルスプリング１５が配設されている。
【００２０】
従って、固定ブロック１３は前記支持片１４を支点としたコイルスプリング１５の付勢力により、常に下方へ付勢されている。
前記固定ブロック１３の上端部には下方に向かって突出する係止爪１６が形成されている。前記係止爪１６は、前記固定金具５の仮止め孔７に仮止め部１２を係合させたとき、固定金具５の折り曲げ部８に対向するように位置し、そのブラケット本体１側の側面は、斜め下方に向かう斜面となっている。
【００２１】
図３に示すように、折り曲げ部８が係止爪１６に当接する状態で、ブラケット本体１を取付金具１０に向かって押圧すれば、固定ブロック１３がコイルスプリング１５の付勢力に抗して押し上げられる。
【００２２】
そして、係止爪１６が折り曲げ部８の先端部を乗り越えて、掛止め孔８ａに係合するようになっている。
上記のように構成された取付ブラケットを使用して装飾カーテンレール３を取付面９に取着するには、まず取付面９の所定位置に取付金具１０を取着する。
【００２３】
また、ブラケット本体１に固定金具５を取着し、あらかじめリングランナーを装着した装飾カーテンレール３の両端に、ブラケット本体１を装着し、そのカーテンレール３の端部にキャップを取着する。
【００２４】
そして、図２に示すように、仮止め孔７に仮止め部１２を挿通すると、図３に示すように、ブラケット本体１及び装飾カーテンレール３が取付面９に仮止めされる。
【００２５】
次いで、ブラケット本体１の下部を取付面９に向かって押圧すると、図４に示すように、係止爪１６が掛止め孔８ａに係合して、ブラケット本体１及び装飾カーテンレール３が取付面９に固定される。
【００２６】
一方、ブラケット本体１及び装飾カーテンレール３を取付面９から取り外す場合には、図５に示すように、固定ブロック１３を上方へ押し上げると係止爪１６が掛止め孔８ａから外れる。
【００２７】
この状態で、ブラケット本体１を手前に引き、次いで上方へ持ち上げれば、ブラケット本体１及び装飾カーテンレール３が取付面９から離脱する。
上記のように構成された取付ブラケットでは、次に示す作用効果を得ることができる。
【００２８】
（１）ブラケット本体１及び装飾カーテンレール３を、取付面９に仮止めすることができる。
（２）取付面９に仮止めされたブラケット本体１及び装飾カーテンレール３を取付面９に向かって押圧することにより、そのブラケット本体１及び装飾カーテンレール３を取付面９に容易に固定することができる。
【００２９】
（３）固定ブロック１３を上方へ押し上げることにより、ブラケット本体１及び装飾カーテンレール３を取付面９から容易に取り外すことができる。
（第二の実施の形態）
図６〜図１０は、第二の実施の形態を示す。この実施の形態は、前記第一の実施の形態とはブラケット本体１の取り外し方が異なるものであり、その他の構成は前記第一の実施の形態と基本的に同様である。前記実施の形態と同一構成部分は、同一符号を付して説明する。
【００３０】
すなわち、ブラケット本体１に取着される固定金具１７の上端部には、前記第一の実施の形態と同様な仮止め孔１８が形成されている。前記仮止め孔１８の下方には、固定金具１７を切り起こすことにより係止片１９が形成されている。
【００３１】
前記固定金具１７の下端部は、ブラケット本体１の基端側に直角に折り曲げられるとともにその先端はさらに下方へ折り曲げられて、掛止め片２０が形成されている。
【００３２】
前記ブラケット本体１を壁面等の取付面９に支持するための取付金具２１は、ネジ１１で取付面９に固定される。前記取付金具２１の上端部は、前記ブラケット本体１に向かって水平方向に折り曲げられ、その折り曲げ部の先端部は上方へ屈曲されて、前記仮止め孔１８に係合可能とした仮止め部２２が形成されている。
【００３３】
前記仮止め部２２の下方には、取付金具２１を切り起こすことにより係止片２３が形成されている。そして、前記固定金具１７の仮止め孔１８に取付金具２１の仮止め部２２を挿通し、この状態で掛止め片２０を取付金具２１に当接させると、前記係止片１９が係止片２３の下側に係合して、ブラケット本体１の上方へのずれを防止するようになっている。
【００３４】
前記取付金具２１の下端部には、固定ブロック２４が上下動可能に支持されている。前記取付金具２１の下端部には前記ブラケット本体１側に屈曲された支持片２５が形成され、その支持片２５と前記固定ブロック２４の上部との間にはコイルスプリング２６が配設されている。
【００３５】
従って、固定ブロック２４は前記支持片２５を支点としたコイルスプリング２６の付勢力により、常に上方へ付勢されている。
前記固定ブロック２４の上端部には上方に向かって突出する係止爪２７が形成されている。前記係止爪２７は、前記固定金具１７の仮止め孔１８に仮止め部２２を係合させたとき、固定金具１７の掛止め片２０に対向するように位置し、そのブラケット本体１側の側面は、斜め上方に向かう斜面となっている。
【００３６】
図８に示すように、掛止め片２０が係止爪２７に当接する状態で、ブラケット本体１を取付金具２１に向かって押圧すれば、固定ブロック２４がコイルスプリング２６の付勢力に抗して押し下げられる。
【００３７】
そして、掛止め片２０が係止爪２７を乗り越えて、同係止爪２７に係合するようになっている。
上記のように構成された取付ブラケットを使用して装飾カーテンレール３を取付面９に取着するには、まず取付面９の所定位置に取付金具２１を取着する。
【００３８】
また、ブラケット本体１に固定金具１７を取着し、あらかじめリングランナーを装着した装飾カーテンレール３の両端に、ブラケット本体１を装着し、そのカーテンレール３の端部にキャップを取着する。
【００３９】
そして、図７に示すように、仮止め孔１８に仮止め部２２を挿通すると、図８に示すように、ブラケット本体１及び装飾カーテンレール３が取付面９に仮止めされる。
【００４０】
次いで、ブラケット本体１の下部を取付面９に向かって押圧すると、図９に示すように、係止爪２７が掛止め片２０に係合して、ブラケット本体１及び装飾カーテンレール３が取付面９に固定される。
【００４１】
一方、ブラケット本体１及び装飾カーテンレール３を取付面９から取り外す場合には、図１０に示すように、コイルスプリング２６の付勢力に抗して固定ブロック２４を下方へ引き下げると係止爪２７が掛止め片２０から外れる。
【００４２】
この状態で、ブラケット本体１を手前に引き、次いで上方へ持ち上げれば、ブラケット本体１及び装飾カーテンレール３が取付面９から離脱する。
上記のように構成された取付ブラケットでは、前記第一の実施の形態で得られた（１）（２）と同様な作用効果を得ることができるとともに、次に示す作用効果を得ることができる。
【００４３】
（１）固定ブロック２４を下方へ引下げることにより、ブラケット本体１及び装飾カーテンレール３を取付面９から容易に取り外すことができる。
（第三の実施の形態）
図１１〜図１５は、第三の実施の形態を示す。ブラケット本体２８は、軸受け部２９と、カバー３０とから構成され、前記カバー３０は、軸受け部２９の基端部に軸方向に移動可能にかつ回転可能に支持されている。前記軸受け部２９の先端部は、前記実施の形態と同様に装飾カーテンレール３を支持可能となっている。
【００４４】
前記軸受け部２９の基端には、固定金具３１がネジ３２で上下方向に突出するように固定されている。前記固定金具３１の両端部近傍には、取付ネジ３３を挿通するための挿通孔３４が形成されている。また、前記固定金具３１の上端部は直角に折り曲げられ、その折り曲げ部に仮止め孔３５が形成されている。
【００４５】
前記ブラケット本体２８を壁面等の取付面９に支持するための取付金具３６は、ネジ３７で取付面９に固定される。前記取付金具３６の上下両端部は、取付面９との間に所定間隔を確保するように屈曲され、その端部に前記取付ネジ３３を螺合可能としたネジ孔３８が形成されている。
【００４６】
また、前記取付金具３６の上端部には突部３９が形成され、その突部３９を前記仮止め孔３５に挿入可能となっている。従って、仮止め孔３５に突部３９を挿入すると、固定金具３１が取付金具３６に吊下支持されるようになっている。
【００４７】
前記カバー３０の基端面には、前記固定金具３１及び取付金具３６を収容可能とした溝部４０が形成されている。
前記ブラケット本体２８の軸受け部２９の基端部には、板バネ４１が取着され、図１５に示すように、前記カバー３０で前記固定金具３１及び取付金具３６を覆った時、板バネ４１が溝部４０の側面に圧接されて、カバー３０の無用な移動を防止するようになっている。
【００４８】
上記のように構成された取付ブラケットを使用して装飾カーテンレール３を取付面９に取着するには、まず取付面９の所定位置に取付金具３６を取着する。
また、ブラケット本体２８に固定金具３１を取着し、あらかじめリングランナーを装着した装飾カーテンレール３の両端に、ブラケット本体２８を装着し、そのカーテンレール３の端部にキャップを取着する。
【００４９】
そして、図１２に示すように、固定金具３１の仮止め孔３５に取付金具３６の突部３９を挿入すると、固定金具３１が取付金具３６に吊下支持され、ブラケット本体２８及び装飾カーテンレール３が取付面９に仮止めされる。
【００５０】
次いで、図１３及び図１４に示すように、カバー３０を回転させて固定金具３１の挿通孔３４を露出させ、取付ネジ３３を挿通孔３４から取付金具３６のネジ孔３８に螺入する。
【００５１】
すると、固定金具３１が取付金具３６に固定されて、ブラケット本体２８及び装飾カーテンレール３が取付面９に固定される。
次いで、カバー３０を固定金具３１に沿う方向に回転させ、取付面９に向かって移動させると、図１５に示すように、固定金具３１及び取付金具３６がカバー３０で覆われる。
【００５２】
上記のように構成された取付ブラケットでは、前記第一の実施の形態で得られた（１）と同様な作用効果を得ることができるとともに、次に示す作用効果を得ることができる。
【００５３】
（１）固定金具３１を取付金具３６にネジ止めするとき、カバー３０を回転させて、挿通孔３４及びネジ孔３８を露出させることができるので、そのネジ止め作業を容易に行うことができる。
【００５４】
（２）固定金具３１及び取付金具３６をカバー３０で被覆した後は、板バネ４１の付勢力により、カバー３０をその被覆位置に安定して保持することができる。
【００５５】
上記実施の形態は、次に示すように変更することもできる。
・前記各実施の形態において、固定金具を取付け金具に仮止めする仮止め装置は、固定金具に設けた仮止め孔と、取付金具に設けた仮止め部あるいは突部以外の構成としてもよい。
・第一あるいは第二の実施の形態において、固定ブロック１３，２４は左右方向に移動して、固定金具５，１７を刑し擦るようにしてもよい。
【００５６】
【発明の効果】
以上詳述したように、この発明は装飾カーテンレールを取付面に容易に着脱し得る取付ブラケットを提供することができる。
【図面の簡単な説明】
【図１】第一の実施の形態を示す断面図である。
【図２】第一の実施の形態の取付過程を示す断面図である。
【図３】第一の実施の形態の取付過程を示す断面図である。
【図４】第一の実施の形態の取付過程を示す断面図である。
【図５】第一の実施の形態の取付過程を示す断面図である。
【図６】第二の実施の形態を示す断面図である。
【図７】第二の実施の形態の取付過程を示す断面図である。
【図８】第二の実施の形態の取付過程を示す断面図である。
【図９】第二の実施の形態の取付過程を示す断面図である。
【図１０】第二の実施の形態の取付過程を示す断面図である。
【図１１】第三の実施の形態を示す断面図である。
【図１２】第三の実施の形態の取付過程を示す側面図である。
【図１３】第三の実施の形態の取付過程を示す正面図である。
【図１４】第三の実施の形態の取付過程を示す側面図である。
【図１５】第三の実施の形態の取付過程を示す断面図である。
【符号の説明】
１，２８        ブラケット本体
５，１７      固定金具
１０，２１    取付金具
７，１８      仮止め装置（仮止め孔）
１２，２２    仮止め装置（仮止め部）
１３，２４    固定装置（固定ブロック）
【図１】
0003548083.tif 000002
【図２】
0003548083.tif 000003
【図３】
0003548083.tif 000004
【図４】
0003548083.tif 000005
【図５】
0003548083.tif 000006
【図６】
0003548083.tif 000007
【図７】
0003548083.tif 000008
【図８】
0003548083.tif 000009
【図９】
0003548083.tif 000010
【図１０】
0003548083.tif 000011
【図１１】
0003548083.tif 000012
【図１２】
0003548083.tif 000013
【図１３】
0003548083.tif 000014
【図１４】
0003548083.tif 000015
【図１５】
0003548083.tif 000016